(57)【要約】【課題】  簡単に機能検査を行うことが可能な表示装置を提供する。【解決手段】  矩形の表示素子１と、この表示素子１を駆動制御するための制御回路２１と、外部機器との通信や電源供給を行うため、外部接続する配線とを接続するためのコネクタ２２と、表示素子１と、制御回路２１と、コネクタ２２とを実装する回路基板２と、を備え、回路基板２は、表示素子１の一辺側に形成されるリードピン１１と接続されるとともに、表示素子１のリードピン形成辺の対辺側で、かつ表示素子１を実装する面上に検査ランド２５ａ，２５ｂを複数設ける。【選択図】  図２
2015001675.tif 000002
【特許請求の範囲】
【請求項１】
矩形の表示素子と、
この表示素子を駆動制御するための制御回路と、
外部機器との通信や電源供給を行うため、外部接続する配線とを接続するためのコネクタと、
前記表示素子と、前記制御回路と、前記コネクタとを実装する回路基板と、を備え、
前記回路基板は、前記表示素子の一辺側に形成されるリードピンと接続されるとともに、
前記表示素子の前記リードピン形成辺の対辺側で、かつ前記表示素子を実装する面上に検査ランドを複数設けることを特徴とする表示装置。
【請求項２】
前記回路基板は、前記検査ランドとして、制御回路用検査端子と、コネクタ用検査端子とを分け、各一群にして設けることを特徴とする請求項１に記載の表示装置。
【請求項３】
前記表示素子と前記回路基板との間に互いを所定間隔おいて保持するための支持部材が備えられ、
前記支持部材には、前記表示素子の表示側から前記検査ランドを臨むことができる開口部が設けられることを特徴とする請求項１または請求項２に記載の表示装置。
【請求項４】
前記表示素子と、前記制御回路と、前記コネクタと、前記回路基板と、前記支持部材とを含む表示ユニットを機密に収納する筐体を備え、
前記筐体は、前記表示素子の表示を臨むための光透過材を用いた表側ケースと、前記表側ケースに対向する収納部を備えた裏側ケースとを嵌め合わせて設けることを特徴とする請求項３に記載の表示装置。
【発明の詳細な説明】
【技術分野】
【０００１】
本発明は、表示制御用の回路基板を備える表示装置に関するものであり、例えば、防水・防塵用の筐体内に備えられる表示装置として好適である。
【背景技術】
【０００２】
従来の表示装置は、例えば、特許文献１に開示されるものがある。この表示装置は、プリント配線基板（回路基板）のコネクタ装着部近傍に、プリント配線基板の接続用ランドに対応するようにダミーパターンと、このダミーパターンの先端部に検査用ランドとを形成し、プリント配線基板の接続用ランドとダミーパターンとの間に、コネクタのピン足をまたがらせて、半田によりプリント配線基板の接続用ランドとダミーパターンとコネクタのピン足とをそれぞれ一体に接続したものであり、液晶表示パネルの点灯確認検査およびプリント配線基板に装着されたコネクタの接続検査を容易に行うことができるものである。
【先行技術文献】
【特許文献】
【０００３】
【特許文献１】特開２００３−１５１００号公報
【発明の概要】
【発明が解決しようとする課題】
【０００４】
しかしながら、特許文献１に記載のような表示装置は、接続用ランドが液晶表示パネルの表示面に対して裏面側に設けられるため、液晶表示パネルの表示を確認しながら、検査用の接続端子を接続用ランドに触れさせるなど煩雑な作業が必要であり問題であった。
【０００５】
また、検査用の接続端子を他の電子部品に接触しないように注意を払う必要があるため、煩雑性を高めていた。
【０００６】
そこで本発明の目的は、上記問題について着目し、簡単に機能検査を行うことが可能な表示装置を提供することにある。
【課題を解決するための手段】
【０００７】
本発明の表示装置は、矩形の表示素子と、この表示素子を駆動制御するための制御回路と、外部機器との通信や電源供給を行うため、外部接続する配線とを接続するためのコネクタと、前記表示素子と、前記制御回路と、前記コネクタとを実装する回路基板と、を備え、前記回路基板は、前記表示素子の一辺側に形成されるリードピンと接続されるとともに、前記表示素子の前記リードピン形成辺の対辺側で、かつ前記表示素子を実装する面上に検査ランドを複数設けることを特徴とする。
【０００８】
また、前記回路基板は、前記検査ランドとして、制御回路用検査端子と、コネクタ用検査端子とを分け、各一群にして設けることを特徴とする。
【０００９】
また、前記表示素子と前記回路基板との間に互いを所定間隔おいて保持するための支持部材が備えられ、前記支持部材には、前記表示素子の表示側から前記検査ランドを臨むことができる開口部が設けられることを特徴とする。
【００１０】
また、前記表示素子と、前記制御回路と、前記コネクタと、前記回路基板と、前記支持部材とを含む表示ユニットを機密に収納する筐体を備え、
前記筐体は、前記表示素子の表示を臨むための光透過材を用いた表側ケースと、前記表側ケースに対向する収納部を備えた裏側ケースとを嵌め合わせて設けることを特徴とする。
【発明の効果】
【００１１】
本発明は、表示制御用の回路基板を備える表示装置に関し、簡単に機能検査を行うことが可能となる。
【図面の簡単な説明】
【００１２】
【図１】本発明の実施の形態である表示装置を示す断面図。
【図２】同上実施の形態である表示ユニットを示す図。
【図３】同上実施の形態である回路基板を示す図。
【発明を実施するための形態】
【００１３】
以下、本発明の実施の形態として、車両用計器に適用したものを例に挙げて、添付した図面に基づいて説明する。
【００１４】
図１は、雨水等に晒される環境化で使用される車両用計器（表示装置）を断面にて示す図であり、表示素子１と、回路基板２と、支持部材３と、を備えた表示ユニットと、この表示ユニットを収納するケース（筐体）４とを備えており、車両情報を操縦席から確認できるように設けられる。なお、図２は、前記表示ユニットを示し、図３は回路基板２を示す。
【００１５】
表示素子１は、例えば、ＴＦＴ型の液晶表示素子を適用でき、図示しないバックライトによって照明可能に設けられる。この場合、表示素子１は、車両に搭載される各種センサや各種電子制御機器からの車両情報を数値や文字、マークなど画像にて表示するものであり、回路基板２からの駆動電源の供給や、回路基板２に実装される制御回路からの制御信号に基づく画像を出力する。例えば、車両情報として、エンジン回転数や燃料残量等を表示することができる。また、表示素子１は、回路基板２からの駆動信号を転送するための複数のリードピン１１を矩形の表示素子１の一辺側に列状に設けている。
【００１６】
回路基板２は、硬質なガラスエポキシ樹脂からなるプリント基板を適用でき、銅箔による配線パターンが形成され、外部機器からの車両情報に基づいて計測値を演算するマイクロコンピュータや表示素子１を駆動するための描画処理手段などを設けた制御回路２１や、該外部機器とケーブル接続するためのコネクタ２２などの電子部品を実装している。なお、制御回路２１は、回路基板２のリードピン用コネクタ２３を介して表示素子１のリードピン１１と電気的に接続され、表示素子１の表示出力を駆動制御する。また、回路基板２には、支持部材３をビス止めするための複数の挿通孔２４を設けている。
【００１７】
また、回路基板２には、リードピン用コネクタ２３から離れた位置で表示素子１を介して別辺側に、検査ランド２５が形成されている。検査ランド２５ａ，２５ｂは、制御回路２１の一部ポートに接続される制御回路用検査ランド２５ａが制御回路２１側に設けられ、また、コネクタ２２からの配線に接続されるコネクタ用検査ランド２５ｂとが、各一群に設けられる。
【００１８】
支持部材３は、合成樹脂を適用でき、表示素子１と、回路基板２とを所定間隔おいて保持するためのスペーサを適用でき、表示素子１を載置しつつ、回路基板２の挿通孔２４を介して共締めされることで、回路基板２上に保持される。また、支持部材３は、回路基板２に実装状態にて、検査ランド２５ａ，２５ｂを表示素子１の表示側から臨めるように開口する開口部３１を設けている。この開口部３１によって、表示素子１を回路基板に実装した状態で、表示素子１の表示を確認しながら検査ランド２５ａ，２５ｂに所望の駆動信号や電源などを送ることができる。
【００１９】
ケース４は、合成樹脂を適用でき、表示素子１の表示を望むことができるように表示箇所を透明な窓部とする表側ケース４１と、表示素子１の背面側に表示素子１や回路基板２、支持部材３などからなる表示ユニットを収納するための裏側ケース４２とを設けている。これら表側ケース４１と裏側ケース４２とをゴムパッキンなどの防水シール４３を介して嵌め合わせることで機密に収納できる筐体となる。
【００２０】
なお、表側ケース４１は、少なくとも表示素子１の表示部分を覆うことで、表示素子１を保護するとともに、表示素子１の表示を外側から視認できるようにするものであればよく、例えば、有機ガラスなどを適用することもできる。
【００２１】
斯かる表示装置は、矩形の表示素子１と、この表示素子１を駆動制御するための制御回路２１と、外部機器との通信や電源供給を行うため、外部接続する配線とを接続するためのコネクタ２２と、表示素子１と、制御回路２１と、コネクタ２２とを実装する回路基板２と、を備え、回路基板２は、表示素子１の一辺側に形成されるリードピン１１と接続されるとともに、表示素子１のリードピン形成辺の対辺側で、かつ表示素子１を実装する面上に検査ランド２５ａ，２５ｂを複数設ける。
【００２２】
従って、前記表示ユニットの動作を検査する工程において、検査機器からの接続端子を検査ランド２５ａ，２５ｂに接触させ、電源および駆動信号を検査機器側から制御回路２１や他の電子部品へ送る際に、液晶表示パネルの表示を確認しながら行うことができ、作業が容易である。また、この際、検査ランド２と、リードピン１１とが離れた位置にあり、また表示素子１の表示部分や支持部材３が介在するため、検査用の接続端子が、リードピン２に接触しにくい構造となる。
【００２３】
また、回路基板２は、検査ランドとして、制御回路用検査ランド２５ａと、コネクタ用検査ランド２５ｂとを分け、各一群にして設けることによって、コネクタ用検査ランド２５ｂ側の電源ラインのノイズが、駆動信号が流れる制御回路２１の配線側に影響してしまうことを抑止でき、正確な機能検査が容易になる。
【００２４】
また、表示素子１と回路基板２との間に互いを所定間隔おいて保持するための支持部材３が備えられ、支持部材３には、表示素子１の表示側から検査ランド２５ａ，２５ｂを臨むことができる開口部３１が設けられることによって、検査ランド２５ａ，２５ｂを見つけ易くなるだけでなく、開口部３１以外に支持部材３によって隠れた位置にある電子部品に検査用の接続端子が接触しにくい構造となるため、検査工程を容易にすることができる。
【００２５】
なお、本発明の表示装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。
【産業上の利用可能性】
【００２６】
本発明は、車両などの移動体に搭載して各種情報を表示する表示装置に関して、例えば、自動車やオートバイ、あるいは農業機械や建設機械を備えた移動体に搭載される表示装置として適用でき、特に、液晶表示素子や有機ＥＬ素子などの表示パネルを備えた計器に好適である。
【符号の説明】
【００２７】
１  表示素子
１１  リードピン
２  回路基板
２１  制御回路
２２  コネクタ
２５ａ  制御回路用検査ランド（検査ランド）
２５ｂ  コネクタ用検査ランド（検査ランド）
３  支持部材
３１  開口部
４  ケース（筐体）
【図１】
2015001675.tif 000003
【図２】
2015001675.tif 000004
【図３】
2015001675.tif 000005